(57)【要約】【課題】複数の無人ポンプ場の監視データと場内の動画像を、離れた中央監視所で監視できること。【解決手段】本発明は、多くの場所に存在する上下水道の無人ポンプ場の監視データと、無人ポンプ場内の様子をカメラで監視する動画像のデータとを、特別に敷設された専用の回線を用いることなくインターネットのネットワークを利用してリアルタイムに高速で情報収集し、中央監視所の情報収集装置にＷＥＢサーバと一般に市販されているブラウザを用いてなり、また、故障や警報に対しては電話回線で携帯電話やＦＡＸに緊急発信が可能なリモート情報モニタシステムである。【選択図】  図２
2004362312.tif 000002
【特許請求の範囲】
【請求項１】
上下水道の無人ポンプ場のリモート情報監視において、特別に敷設された専用の回線を利用することなくインターネットを利用したネットワークにより、中央監視所に設置された情報収集装置で、常時リアルタイムにしかも高速に複数の無人ポンプ場の水位、流量、運転、故障や警報信号などの監視データを情報収集する手段と、無人ポンプ場の場内をカメラにより動画像で監視する手段とを備えたインターネットを利用した無人ポンプ場のリモート情報モニタシステム。
【請求項２】
前記無人ポンプ場のリモート情報モニタシステムに関し、インターネットを介してＶＰＮルータでＬＡＮを構築し、無人ポンプ場の監視データを収集する手段と無人ポンプ場の場内をカメラによる動画像で監視する手段とを備えたシステム。
【請求項３】
前記無人ポンプ場のリモート情報モニタシステムに関し、中央監視所に情報収集装置としてＷＥＢサーバを設置することにより、本サーバのデータベースに無人ポンプ場の監視データを収集格納して中央監視所で監視できる手段と、また、本サーバを通して無人ポンプ場内をカメラによる動画像で監視する手段とを備えたシステム。
【請求項４】
前記無人ポンプ場のリモート情報モニタシステムに関し、中央監視所にＷＥＢサーバを設置することにより、中央監視所から離れた複数の監視所に監視データとカメラによる動画像をＷＥＢ配信する手段を備えたシステム。
【請求項５】
前記無人ポンプ場のリモート情報モニタシステムに関し、ポンプ場の故障信号や警報信号を、インターネットを経由したデータ監視情報とは別に、中央監視所の監視人が所持する携帯電話や中央監視所のＦＡＸに電話回線を通して緊急発信できる手段を備えたシステム。
【発明の詳細な説明】
【０００１】
【発明の属する技術分野】
本発明は上下水道の無人ポンプ場のリモート情報モニタに関し、更に詳しくは、インターネットを利用したネットワークで、複数の無人ポンプ場の監視データを情報収集する技術と複数の無人ポンプ場の場内をカメラで監視する技術に関する。
【０００２】
【従来の技術】
通常、無人ポンプ場は中央監視所から離れて多くの場所に分散して無人で存在している為に、無人ポンプ場の流量や水位などのデータは無人ポンプ場まで人が巡回して監視する方法が取られている。しかし、この方法では緊急を要する重要な情報が的確に得られないことから、テレコンテレメータや専用の電話回線等により無人ポンプ場の監視データを中央監視所で情報収集するように改善されつつある。
【０００３】
この様子を、図１で、上下水道の無人ポンプ場の従来の監視データのリモート情報モニタシステムについて説明する。図１において、１０は従来の中央監視所を、１１は従来の中央監視所の情報収集装置を、１２は情報収集装置のデータベースを、３０は従来の無人ポンプ場を、３１は従来の無人ポンプ場の監視データ収集装置を、２０は無人ポンプ場と中央監視所を結ぶ回線を示す。３０の流量、水位、運転、故障や警報信号等の監視データは３１でデータ収集され、２０の回線を通して１１に集められ１２に蓄え利用される。この場合、２０はこの情報収集の為に特別に敷設された専用の回線が用いられている。特別に敷設されていない電話回線を利用した場合でも専用回線を利用しているので、特別に敷設された回線を利用しているのと同じ意味を持つ。また、ここで使用している１１の情報収集装置や３１の監視データ収集装置およびこれらに使われているソフトウエアも、リモート情報モニタの為に特別に開発されたものである。
【０００４】
【特許文献１】
特開平０７−０５８８３５号
【０００５】
【発明が解決しようとする課題】
上述した回線接続による従来の方法では、２０の回線は特別に敷設された専用の回線が必要である。そのため監視データはリアルタイムに情報収集できるが、２０の回線速度が遅いことから、セキュリティー上重要なポンプ場の場内の様子を、リアルタイムにカメラで動画像監視する方法は取られていないのが実情である。また、ここで情報収集のために必要な１１のソフトウエアも、情報収集装置が市場で流通している一般市販品とは異なる為に、専用開発されたソフトウエアが必要であり、簡便な市販の一般のソフトウエアであるブラウザを利用できないシステムとなっている。また、無人ポンプ場の故障や警報に対しては、この専用回線以外の方法で緊急発信する手段は取られていない。
【０００６】
本発明は、上記課題に鑑みてなされたもので、インターネットのネットワークを利用することにより、多くの分散された無人ポンプ場と中央監視所を結ぶ特別に敷設された専用の回線を必要とせず、監視データだけでなく、セキュリティ上重要な無人ポンプ場の場内の様子をカメラで動画像監視でき、中央監視所の情報収集装置のソフトウエアも市場で流通している市販の一般のソフトウエアであるブラウザを利用でき、無人ポンプ場の故障や警報の緊急発信にはインターネット以外の手段も付加したシステムを提供することを目的とする。
【０００７】
【課題を解決するための手段】
上記目的を達成するために、本発明は以下の構成を有する。即ち、請求項１に記載された無人ポンプ場のリモート情報モニタシステムは、上下水道の無人ポンプ場のリモート情報監視において、特別に敷設された専用の回線を利用することなくインターネットを利用したネットワークにより、中央監視所に設置された情報収集装置で、常時リアルタイムにしかも高速に複数の無人ポンプ場の水位、流量、運転、故障や警報信号などの監視データを情報収集する手段と、無人ポンプ場の場内をカメラにより動画像で監視する手段とを備えたインターネットを利用した無人ポンプ場のリモート情報モニタシステム。特許請求項２に記載された発明は、請求項１に記載された無人ポンプ場のリモート情報モニタシステムにおいて、インターネットを介してＶＰＮルータでＬＡＮを構築し、無人ポンプ場の監視データを収集する手段と無人ポンプ場の場内をカメラによる動画像で監視する手段とを備えたシステム。特許請求項３に記載された発明は、請求項１に記載された無人ポンプ場のリモート情報モニタシステムにおいて、中央監視所に情報収集装置としてＷＥＢサーバを設置することにより、本サーバのデータベースに無人ポンプ場の監視データを収集格納して中央監視所で監視できる手段と、また、本サーバを通して無人ポンプ場内をカメラによる動画像で監視する手段とを備えたシステム。特許請求項４に記載された発明は、請求項１に記載された無人ポンプ場のリモート情報モニタシステムにおいて、中央監視所にＷＥＢサーバを設置することにより、中央監視所から離れた複数の監視所に監視データとカメラによる動画像をＷＥＢ配信する手段を備えたシステム。特許請求項５に記載された発明は、請求項１に記載された無人ポンプ場のリモート情報モニタシステムにおいて、ポンプ場の故障信号や警報信号を、インターネットを経由したデータ監視情報とは別に、中央監視所の監視人が所持する携帯電話や中央監視所のＦＡＸに電話回線を通して緊急発信できる手段を備えたシステム。
【０００８】
換言すると、本発明は以下のようである。本発明は、多くの場所に存在する上下水道の無人ポンプ場の監視データと無人ポンプ場内の様子をカメラで監視する動画像のデータを、特別に敷設された専用の回線を用いることなくインターネットのネットワークを利用することにより、中央監視所の情報収集装置にＷＥＢサーバを用いてリアルタイムに高速で情報収集すると同時にＷＥＢ配信でき、また、故障信号や警報信号を緊急発信できる無人ポンプ場のリモート情報モニタシステムである。
【０００９】
【発明の実施の形態】
以下、本発明の実施形態に係る無人ポンプ場のリモート情報モニタシステムを図２に基づいて説明する。図２において、１００は本発明の中央監視所を、１１０は本発明の中央監視所のＷＥＢサーバによる情報収集装置を、１２０は監視用の画像表示装置を備えたＰＣ（パソコン）を、１３０は監視データを印刷するプリンタを、２００はインターネットを、３００は本発明による無人ポンプ場を、３１０は本発明による無人ポンプ場の監視データ収集装置を、３２０はカメラによる無人ポンプ場の現場の画像撮像装置を、４００はＶＰＮルータを、５００は無人ポンプ場の故障や警報に対する中央監視所の監視人が所持する携帯電話や中央監視所のＦＡＸに電話回線で緊急発信する信号を、また、１０１は中央監視所以外の他の監視所を示す。無人ポンプ場と中央監視所および他の監視所はそれぞれＶＰＮルータでインターネットを通して接続されている。
【００１０】
複数の無人ポンプ場３００の監視データ収集装置３１０で収集された水位、流量、運転、故障や警報信号等の監視データはＶＰＮルータを用いたインターネット経由で中央監視所の情報収集装置であるＷＥＢサーバ１１０で常時収集され、監視データはこのＷＥＢサーバのデータベースに収集格納される。この監視データは１２０でトレンド、日報確認、運転状況等を見ることができ、それと同時に１３０を通して印刷することができる。一方、３２０で撮像されたセキュリティーに不可欠な無人ポンプ場の現場の動画像も同様に、３２０から２００を経由して１１０に集められ、１２０の画面でリアルタイムに動画像を観察することができる。高速な動画像を観察する必要がある場合には、インターネット回線にＡＤＳＬ等の高速回線を利用する。１１０は２００に適合した通常のＷＥＢサーバを用いており、特別な情報収集装置ではない。また、１１０で用いられるブラウザも通常インターネットで使用される一般に市場に流通している市販のいわゆるインターネットイクスプロ−ラやネットスケープ等のブラウザを用い、特別な情報収集用のソフトウエアではない。無人ポンプ場の異常や警報信号は、通常インターネットを介して中央監視所で監視することが可能であるが、監視人が表示装置の傍を離れて監視できない時を考慮して、インターネットとは別に電話回線で、監視人が所持する携帯電話や中央監視所のＦＡＸに緊急発信できるようになっている。これは、無人ポンプ場の故障や警報信号が警鳴されると、これに連動して、携帯電話やＦＡＸのあらかじめ記憶された電話番号が起動され、緊急発信する仕組みとなっている。また、１００以外の１０１の他の監視所には、１１０から監視情報がＷＥＢ配信される。
【００１１】
【発明の効果】
以上説明したように、本発明では特別な装置や特殊なソフトウエアを使用していない。特別に敷設された専用の回線を用いることなくインターネットを利用したネットワークで、必要に応じてＡＤＳＬ回線等を利用しながらＶＰＮルータでＬＡＮを構築して、また、中央監視所にＷＥＢサーバを設置しブラウザは市販のソフトウエアを使用しながら、複数の無人ポンプ場と中央監視所および他の監視所を結び、中央監視所や他の監視所で無人ポンプ場の監視が可能であり、故障や警報には緊急発信の手段が可能である。このように簡明な手段でリモート情報モニタシステムが構成されるので、以下のような効果がある。複数の無人ポンプ場の水位、流量、運転、故障や警報信号などの監視データと、セキュリティー上重要な無人ポンプ場の場内の様子をカメラにより撮像した動画像とを、常時リアルタイムに高速に情報収集できる効果と、また、複数の無人ポンプ場の監視データの計測結果を、中央監視所でトレンド、日報確認、運転状況等により表示、およびこれらの計測結果を印刷できる効果がある。また、故障や警報の非常時には電話回線による緊急発信で、携帯電話やＦＡＸで早急に検知できる効果がある。これまで、本発明の適用について無人ポンプ場に限定して説明したが、本発明はマンホールポンプやその他遠隔地に設置された制御装置等のリモート情報収集に適用しても同様の効果があることは自明である。
【図面の簡単な説明】
【図１】従来技術に係る無人ポンプ場の監視データ情報システムを説明するための図である。
【図２】本発明の実施形態に係る無人ポンプ場のリモート情報モニタシステムの全体構成を示す図である。
【符号の説明】
１０    従来の中央監視所
１１    従来の中央監視所の情報収集装置
１２    情報収集装置のデータベース
２０    無人ポンプ場と中央監視所を結ぶ回線
３０    従来の無人ポンプ場
３１    従来の無人ポンプ場の監視データ収集装置
１００  本発明の中央監視所
１０１  他の監視所
１１０  本発明の中央監視所のＷＥＢサーバによる情報収集装置
１２０  監視用の画像表示装置を備えたＰＣ（パソコン）
１３０  監視用データを印刷するプリンタ
２００  インターネット
３００  本発明による無人ポンプ場
３１０  本発明による無人ポンプ場の監視データ収集装置
３２０  カメラによる無人ポンプ場の画像撮像装置
４００  ＶＰＮルータ
５００  故障、警報時の緊急発信信号
【図１】
2004362312.tif 000003
【図２】
2004362312.tif 000004